(57)【要約】【課題】中性子が崩壊する時と中性子ができる時の引力はどのようであるか。地球から離れている星の電子の公転軌道や自転軌道や、それによってできる電気の光子のエネルギーや磁気の光子のエネルギーはどれ位であるのか。【解決手段】中性子が崩壊し水素に成ると仮定し、電子の公転軌道が大きくなり、自転軌道が大きくなる。この事によって磁気の光子のエネルギーが小さくなるので、引力が小さくなり、中性子の陽子は電子の自転の中から出る。この逆の現象によって、陽子が電子の自転の中に引き込まれ中性子になる。２×走った距離÷Ｋ＝Ａとする。（Ｋは今回３×１０８ｍとした。）星のエネルギーは地球のエネルギーのＡ倍とみなすことができる。それで、星の電子の公転軌道は、地球の電子の公転軌道のＡ分の１であり、エネルギーはＡ倍である。この事によって、宇宙の場所における、星の素粒子の様子が理解できる。【選択図】    図１
2006067796.tif 000002
【特許請求の範囲】
【請求項１】
中性子が崩壊する時と中性子ができる時の引力はどのようであるか。
Ａ．の考え。
中性子が崩壊後、陽子と電子になる場合。
中性子が崩壊後、陽子と電子になり、水素に成ると仮定すると、電子のラブの軌道は、中性子の電子のラブの公転軌道から、水素の電子のラブの公転軌道になる。
１／２スピンの核磁気モーメントを−Ａとすると、中性子の電子のラブの公転軌道は６．１９４×１０−１４ｍ×Ａです。
電子のラブの公転軌道は１．３２２×１０−１０ｍ×Ａです。
水素の場合、１／２スピンで核磁気モーメントは＋２．７９２７７です。これは＋なのですが、Ｈｅの核磁気モーメントが１／２スピンで−２．１２７５６ですから、水素の電子のラブの公転軌道はＨｅより大きいはずですから＋２．７９２７７をＡとします。
それで、水素の電子のラブの公転軌道は、１．３２２×１０−１０ｍ×Ａ＝１．３２２×１０−１０ｍ×２．７９２７７＝３．７×１０−１０ｍです。
中性子のＡは約０．１から０．２ですから、Ａ＝０．１５としますと、中性子の電子のラブの公転軌道は、
６．１９４×１０−１４ｍ×Ａ＝６．１９４×１０−１４ｍ×０．１５＝０．９２９×１０−１４ｍです。
軌道は、０．９２９×１０−１４ｍから３．７×１０−１０ｍに拡大します。
公転軌道は、３．７×１０−１０ｍ÷（０．９２９×１０−１４ｍ）＝４×１０４倍になります。
軌道が大きくなると、物と物の間の距離は同じでも軌道のエネルギーは小さくなるので、引力＝１÷距離２の式より、
引力は１÷（４×１０４）２＝６．２５×１０−１０倍になります。
この引力により中性子の陽子のラブは電子のラブの自転から抜け出ます。
一方、原子の電子のラブから中性子の電子のラブになる場合。
１／２スピンの核磁気モーメントを−Ａとすると、中性子の電子のラブの公転軌道は６．１９４×１０−１４ｍ×Ａです。電子のラブの公転軌道は１．３２２×１０−１０ｍ×Ａです。
それで、原子の電子のラブから中性子の電子のラブになるとき、公転軌道は、
６．１９４×１０−１４ｍ×Ａ）÷（１．３２２×１０−１０ｍ×Ａ）＝４．６８５×１０−４倍になります。
軌道が４．６８５×１０−４倍になるという事は、引力は、
１÷（４．６８５×１０−４）２＝４．５５×１０６倍になるという事です。
この引力により、陽子のラブは電子のラブの自転の中に引き込まれます。
Ｂ．又次のようにも考えられる。本発明者はこちらの考え方がより正しいと思います。図１中性子が崩壊後、陽子と電子になる場合。
中性子が崩壊後、陽子と電子になり、水素に成ると仮定すると、電子のラブの軌道は、中性子の電子のラブの公転軌道から、水素の電子のラブの公転軌道になる。
この時、公転軌道は、３．７×１０−１０ｍ÷（０．９２９×１０−１４ｍ）＝４×１０４倍になります。
公転軌道が４×１０４倍になりますから、自転軌道も４×１０４倍になります。
エネルギーは４×１０４分の１になります。磁気の光子のエネルギーは４×１０４分の１になります。それで、引力は４×１０４分の１になりますから、中性子の陽子のラブは電子の自転から抜け出ます。
１原子で、１秒間にできる磁気の光子１０８個のエネルギーは１０−３１Ｊ・ｍ÷（４×１０４）＝２．５×１０−３６Ｊ・ｍです。
一方、原子の電子のラブから中性子の電子のラブになって、陽子のラブが電子のラブの自転に引き込まれる場合。
原子の電子のラブから中性子の電子のラブになるとき、公転軌道は、
６．１９４×１０−１４ｍ×Ａ÷（１．３２２×１０−１０ｍ×Ａ）＝４．６８５×１０−４倍になります。
自転軌道も４．６８５×１０−４倍になります。
それで、エネルギーは４．６８５×１０−４分の１になります。エネルギーは、１÷（４．６８５×１０−４）＝２．１３×１０３倍になります。磁気の光子のエネルギーは２．１３×１０３倍になります。それで、引力は２．１３×１０３倍になりますから、電子の自転の中に陽子のラブは引き込まれます。
１原子で、１秒間にできる磁気の光子１０８個のエネルギーは１０−３１Ｊ・ｍ×２．１３×１０３＝２．１３×１０−２８Ｊ・ｍです。
陽子のラブが電子のラブの自転軌道の中に引き込まれる理由は、電子のラブでできる磁気の光子のエネルギーのほうが陽子のラブでできる磁気の光子のエネルギーの約２０００倍であるからです。
【請求項２】
引力は２種類に分けて考えられます。本発明者が問題としている引力は、物自ら放出している引力で、１原子から放出している磁気の光子です。
引力は２種類に分けて考えられます。
１つは物と物との間に働く引力です。
１つは磁気の光子のエネルギーとして、物自ら放出している引力です。
物と物との間に働く引力は、物自ら放出している磁気の光子の合流です。
本発明者が問題としている引力は、物自ら放出している引力です。
即ち、物自ら放出している磁気の光子のエネルギーです。
物は原子ですから、原子から放出している磁気の光子です。
それが、１原子では、１０−３１Ｊ・ｍです。
【請求項３】
引力によって何が解るか。
引力は磁気の光子の軌道エネルギー（１回転の運動量）です。それで、引力を知る事によって、電気の光子の軌道エネルギーを知る事ができます。引力がαＪ・ｍですと、電気の光子の軌道エネルギー（１回転の運動量）は、αＪ・ｍ×１０８です。磁気の光子１個の軌道エネルギー（１回の運動量）はαＪ・ｍ×１０−８です。
物と物も間の引力がＹである場合、物自ら放出する引力はＹ１／２です。
物自ら放出する引力はＹ１／２で、これは磁気の光子です。
それで、物自ら放出する電気の光子のエネルギーはＹ１／２×１０８です。
【請求項４】
本発明者の運動量は１回転の運動量です。
本来、運動量は＝１秒間にできるエネルギー×１秒間に走る距離＝１秒間にできるエネルギー×秒速＝１秒間にできるエネルギー×軌道×１秒間の回転数＝１秒間にできるエネルギー×１秒間に走る距離＝１秒間にできるエネルギー×秒速＝ラブの質量エネルギー×ラブの秒速です。
しかし、本発明者は、運動量＝１秒間にできるエネルギー×軌道として考えています。
本発明者の考えている運動量は、１回転の運動量です。
１回転の運動量＝１秒間にできるエネルギー×軌道×１秒間の回転数÷１秒間の回転数＝１秒間にできるエネルギー×軌道＝軌道エネルギー。
【請求項５】
運動量を１回転の運動量として考える事によってどのような利点があるか。
従来考えられている運動量は＝１秒間にできるエネルギー×１秒間に走る距離＝１秒間にできるエネルギー×秒速＝ラブの質量エネルギー×ラブの秒速＝一定です。
しかし、本発明者が考えている運動量＝１秒間にできるエネルギー×軌道  の式では、１秒間にできるエネルギーは、ラブがどれ位の軌道を回転してできたものであるかが理解できます。
どれ位の軌道では、どれだけのエネルギーになっているのか、軌道とエネルギーの関係が理解できます。
【請求項６】
本発明者は、エネルギー＝定数Ｊ・ｍ÷軌道。軌道＝定数Ｊ・ｍ÷エネルギーと考えていた。この事は、定数Ｊ・ｍ＝１回転の運動量です。
軌道×エネルギー＝軌道×その軌道に於いて１秒間にできるエネルギー＝１回転の運動量です。
本発明者は、軌道エネルギーの式を、エネルギー＝定数Ｊ・ｍ÷軌道  として表現してきたが、これからは、１回転の運動量１つで表現する。定数Ｊ・ｍとして表す。
【請求項７】
原子の中で、電子のラブと光子の速度が４×１０４ｍと仮定した場合の、自転軌道と自転回数と、公転軌道と公転回数と、ラブの１回転の運動量と、電気の光子の１回転の運動量、と磁気の光子１０８個の１回転の運動量と、磁気の光子の１回転の運動量について。
原子の中で、電子のラブと光子の速度が４×１０６ｍと仮定した場合の、自転軌道と自転回数と、公転軌道と公転回数と、ラブの１回転の運動量と、電気の光子の１回転の運動量、と磁気の光子１０８個の１回転の運動量と、磁気の光子の１回転の運動量について。
本発明者は、２００４年９月２９日提出した特願２００４−３１３０９８の（９番）では、原子の中の光速を３×１０７ｍとして計算しています。
それで、１秒間に６．９×１０３４回自転し、１０１９回公転する、としています。
２００４年１１月２２日提出した特願２００４−３６８４５９の（１１番）と（１７番）でも、原子の中の速度を３×１０７ｍとして計算しています。
それで、自転軌道は１．２５×１０−２８ｍで、１秒間に７．６×１０３４回自転する。公転軌道は１．２５×１０−１２ｍで、１秒間に７．６×１０１８回公転する、としています。
２００４年１２月２１日提出した特願２００４−３８２７４３の（８番）では、原子の中で、電子のラブが公転する時の秒速は３．９２５×１０４ｍであると計算しました。
（２番）では、電子のラブが１公転して１０８個の電気の光子の輪を作っているとしています。
１秒間に１０１６回公転する、としています。
２００５年２月２２日提出した特願２００５−８２５７８の（５番）では、原子の中で、電子のラブの公転速度は３．９２５×１０４ｍとして計算しています。
２００５年３月２８日提出した特願２００５−１２５６４６の（９番）では、原子の中で、電子のラブの公転速度は４×１０４ｍとして計算しています。
２００５年５月１０日提出した特願２００５−１６６１３４の（４番）では、原子の中で、電子のラブの公転速度は４×１０４ｍとして計算しています。
（１番）で、やっと、１個の電気の光子がＸ線であると気づきました。それまで、１０８個の電気の光子でＸ線１個と考えていました。１公転で、１０８個の電気の光子ができると考えていました。
（７番）で、電子のラブは１秒間に１．２５×１０−１２ｍの軌道を１０１６回公転し、１０１６個の電気の光子を作る。
電気の光子１個のエネルギーは８×１０−３０Ｊですから、１．２５×１０−１２ｍの軌道で、１秒間に８×１０−１４Ｊの電気の光子を作る。
電子のラブは１秒間に１．２５×１０−２０ｍの軌道を１０２４回自転し、１０２４個の磁気の光子を作る。
磁気の光子１個のエネルギーは８×１０−３８Ｊですから、１．２５×１０−２０ｍの軌道で、１秒間に８×１０−１４Ｊの磁気の光子を作る、としています。
２００５年５月１８日提出の特願２００５−１７４２３０の（１１番）では、電子のラブの秒速を４×１０６ｍとしています。それなのに、１０１６回公転するとしています。これは、公転軌道を１．２５×１０−１０ｍとしているからです。どうして、公転軌道を１．２５×１０−１０ｍとしたかは、１０−３１Ｊ・ｍである万有引力を中心に考えているからです。電子のラブの公転軌道を、１０−２３Ｊ・ｍ÷（８×１０−１４Ｊ）＝１．２５×１０−１０ｍで求めているからです。
そうしますと、１０−２３Ｊ・ｍでは、電子のラブの秒速は４×１０６ｍです。
１０−２５Ｊ・ｍでは、電子のラブの秒速は４×１０４ｍです。
質量エネルギーは８×１０−１４Ｊですから、公転軌道を１．２５×１０−１２ｍとしたら、電子のラブの秒速は４×１０４ｍです。
公転軌道を１．２５×１０−１０ｍとしたら、電子のラブの秒速は４×１０６ｍです。
１０−３１Ｊ・ｍである万有引力を中心に考えると、電子のラブの秒速は４×１０６ｍです。
それで、原子の中の、電子のラブの秒速と、自転軌道と自転の回転数と、公転軌道と公転の回転数と、ラブの１回転の運動量と、電気の光子の１回転の運動量、と磁気の光子１０８個の１回転の運動量と、磁気の光子の１回転の運動量の関係は次のようになります。
▲１▼原子の中の、電子のラブの秒速が４×１０４ｍの場合。
４×１０４ｍ÷（３．１４×１．２５×１０−２０ｍ）＝１０２４
電子のラブの自転軌道は１．２５×１０−２０ｍで１０２４回自転します。
４×１０４ｍ÷（３．１４×１．２５×１０−１２ｍ）＝１０１６
電子のラブの公転軌道は１．２５×１０−１２ｍで１０１６回公転します。
ラブの軌道エネルギー＝ラブの１回転の運動量＝１０−２５Ｊ・ｍ  です。
電気の光子の軌道エネルギー＝電気の光子の１回転の運動量＝１０−２５Ｊ・ｍ  です。
磁気の光子１０８個の軌道エネルギー＝磁気の光子１０８個の１回転の運動量＝１０−３３Ｊ・ｍ  です。
磁気の光子１個の軌道エネルギー＝磁気の光子１個の１回転の運動量＝１０−４１Ｊ・ｍ  です。
▲２▼原子の中の、電子のラブの秒速が４×１０６ｍの場合。
４×１０６ｍ÷（３．１４×１．２５×１０−１８ｍ）＝１０２４
電子のラブの自転軌道は１．２５×１０−１８ｍで１０２４回自転します。
４×１０６ｍ÷（３．１４×１．２５×１０−１０ｍ）＝１０１６
電子のラブの公転軌道は１．２５×１０−１０ｍで１０１６回公転します。
ラブの軌道エネルギー＝ラブの１回転の運動量＝１０−２３Ｊ・ｍ  です。
電気の光子の軌道エネルギー＝電気の光子の１回転の運動量＝１０−２３Ｊ・ｍ  です。
磁気の光子１０８個の軌道エネルギー＝磁気の光子１０８個の１回転の運動量＝１０−３１Ｊ・ｍ  です。これが万有引力の式です。
磁気の光子１個の軌道エネルギー＝磁気の光子１個の１回転の運動量＝１０−３９Ｊ・ｍ  です。
これを表にします。
2006067796.tif 000009
【請求項８】
本発明者は電子のラブの秒速を円周率を乗じた値にしている。もし円周率を乗じなければ、どれ位か。
本発明者は電子の秒速を円周率を乗じた値にしている。
もし円周率を乗じなければ、電子のラブの秒速は４×１０６ｍ÷３．１４＝１．２７×１０６ｍであり、陽子のラブの秒速は２×１０３ｍ÷３．１４＝０．６３７×１０３ｍです。
【請求項９】
電気の光子１個のエネルギー：磁気の光子１個のエネルギー＝１：１０−１６であるのはどうしてか。
電子のラブの秒速を４×１０６ｍとする。
電子のラブは１．２５×１０−１８ｍの軌道を１自転し１０−３８Ｊの磁気の光子１個を作る。
この磁気の光子の軌道が１０８倍に成るとエネルギーは１０８分の１に成る。
磁気の光子の軌道が、電気の光子の軌道と同じ大きさに成るとき、磁気の光子の軌道が１０８倍に成る。
電子のラブは１．２５×１０−１０ｍの軌道を１公転し１０−３０Ｊの電気の光子１個を作る。
それで、磁気の光子の軌道が電気の光子の軌道と同じ大きさに成った時、１．２５×１０−１０ｍの軌道になった時、磁気の光子１個のエネルギーは１０−３８Ｊ×１０−８＝１０−４６Ｊになる。
それで、同じ軌道になった時、電気の光子１個のエネルギー：磁気の光子１個のエネルギー＝１０−３０Ｊ：１０−４６Ｊ＝１：１０−１６になる。
【請求項１０】
宇宙の星のエネルギーは地球のエネルギーの何倍か。図２
宇宙の星から出発する光子のエネルギーをａとし、地球にたどり着く光子のエネルギーをｂとすると、
ａ＝ｂ×２×光子が走った距離÷Ｋ  です。Ｋ＝光速＝３×１０８ｍとする。
ａ＝ｂ×２×光子が走った距離÷（３×１０８ｍ）
そうしますと、星のエネルギーは、地球のエネルギーの２×光子が走った距離÷（３×１０８ｍ）倍とみなす事ができる。この倍数をＡとする。
例えば、太陽の場合。光子が走った距離は、１．４９６×１０１１ｍですから、
太陽のエネルギーは、地球のエネルギーの、
２×１．４９６×１０１１ｍ÷（３×１０８ｍ）＝１０３倍とみなす事ができる。この倍数をＡとする。
例えば、１光年の場合、走った距離は、９．４６×１０１５ｍですから、
ａ＝ｂ×２×９．４６×１０１５ｍ÷（３×１０８ｍ）＝ｂ×６．３×１０７
１光年の場のエネルギーは地球のエネルギーの６．３×１０７倍です。
よって、宇宙の場において、その場のエネルギーは地球のエネルギーの、
２×走った距離÷（３×１０８ｍ）倍のエネルギーです。
Ａ＝２×走った距離÷（３×１０８ｍ）倍です。
【請求項１１】
宇宙の星から出発した光子のエネルギーはどれ位か。
本発明者は、特願２００４−２０２４９６において、宇宙の星から出発した光子のエネルギーをａとし、地球にたどり着く光子のエネルギーをｂとし、定数をＫとし、
ｂ＝ａ×Ｋ÷軌道＝ａ×Ｋ÷（２×走った距離）
ａ＝ｂ×２×走った距離÷Ｋ  とした。
今回はＫ＝光速＝３×１０８ｍとする。
ａ＝ｂ×２×走った距離÷（３×１０８ｍ）
ａ＝ｂ×Ａ
▲１▼原子の中の電子のラブの秒速を４×１０４ｍとする場合。
太陽の場合。
地球にたどり着く光子の波長を最高の可視光ある０．３８×１０−６ｍの波長とする。
この軌道は、０．３８×１０−６ｍ÷２＝１．９×１０−７ｍです。
１．９×１０−７ｍの電気の光子のエネルギーは、１０−２５Ｊ・ｍ÷（１．９×１０−７ｍ）＝５．２６×１０−１９Ｊです。ｂ＝５．２６×１０−１９Ｊです。
１．９×１０−７ｍの磁気の光子のエネルギーは、１０−４１Ｊ・ｍ÷（１．９×１０−７ｍ）＝５．２６×１０−３５Ｊです。ｂ′＝５．２６×１０−３５Ｊです。
電気の光子はａとｂとします。
磁気の光子はａ′とｂ′とします。
太陽を出発した電気の光子のエネルギーは、
Ａ＝２×走った距離÷（３×１０８ｍ）＝２×１．４９６×１０１１ｍ÷（３×１０８ｍ）＝１０３ですから、
ａ＝ｂ×２×走った距離÷（３×１０８ｍ）＝ｂ×Ａ＝５．２６×１０−１９Ｊ×１０３＝５．２６×１０−１６Ｊです。
この軌道は、１０−２５Ｊ・ｍ÷（５．２６×１０−１６Ｊ）＝１．９×１０−１０ｍです。
太陽を出発した磁気の光子のエネルギーは、
ａ′＝ｂ′×２×走った距離÷（３×１０８ｍ）＝ｂ′×Ａ＝５．２６×１０−３５Ｊ×１０３＝５．２６×１０−３２Ｊです。
この軌道は、１０−４１Ｊ・ｍ÷（５．２６×１０−３２Ｊ）＝１．９×１０−１０ｍです。
星の場合。
地球にたどり着く光子の波長を最低の可視光ある０．７７×１０−６ｍの波長とする。
この軌道は、０．７７×１０−６ｍ÷２＝３．８５×１０−７ｍです。
３．８５×１０−７ｍの電気の光子のエネルギーは、１０−２５Ｊ・ｍ÷（３．８５×１０−７ｍ）＝２．６×１０−１９Ｊです。ｂ＝２．６×１０−１９Ｊです。
３．８５×１０−７ｍの磁気の光子のエネルギーは、１０−４１Ｊ・ｍ÷（３．８５×１０−７ｍ）＝２．６×１０−３５Ｊです。ｂ′＝２．６×１０−３５Ｊです。
特願２００４−２０２４９６ではこの値を６．６７×１０−３５Ｊとしました。
例えば、
１光年の星から出発した電気の光子のエネルギーは、
Ａ＝２×９．４６×１０１５ｍ÷（３×１０８ｍ）＝６．３×１０７
ａ＝ｂ×２×走った距離÷（３×１０８ｍ）＝ｂ×Ａ＝２．６×１０−１９Ｊ×６．３×１０７＝１．６４×１０−１１Ｊです。
１光年の星から出発した磁気の光子のエネルギーは、
ａ′＝ｂ′×２×走った距離÷（３×１０８ｍ）＝ｂ×Ａ＝２．６×１０−３５Ｊ×６．３×１０７＝１．６４×１０−２７Ｊです。
▲２▼原子の中の電子のラブの秒速を４×１０６ｍとする場合。
太陽の場合。
地球にたどり着く光子の波長を最高の可視光ある０．３８×１０−６ｍの波長とする。
この軌道は、０．３８×１０−６ｍ÷２＝１．９×１０−７ｍです。
１．９×１０−７ｍの電気の光子のエネルギーは、
１０−２３Ｊ・ｍ÷（１．９×１０−７ｍ）＝５．２６×１０−１７Ｊです。ｂ＝５．２６×１０−１７Ｊです。
１．９×１０−７ｍの磁気の光子のエネルギーは、
１０−３９Ｊ・ｍ÷（１．９×１０−７ｍ）＝５．２６×１０−３３Ｊです。ｂ′＝５．２６×１０−３３Ｊです。
太陽から出発する電気の光子のエネルギーは、
ａ＝ｂ×Ａ＝５．２６３×１０−１７Ｊ×１０３＝５．２６×１０−１４Ｊ
この軌道は、１０−２３Ｊ・ｍ÷（５．２６×１０−１４Ｊ）＝１．９×１０−１０ｍです。
太陽から出発する磁気の光子のエネルギーは、
ａ′＝ｂ′×Ａ＝５．２６×１０−３３Ｊ×１０３＝５．２６×１０−３０Ｊ
この軌道は、１０−３９Ｊ・ｍ÷（５．２６×１０−３０Ｊ）＝１．９×１０−１０ｍです。
即ち、出発した軌道は、地球に到達した軌道÷Ａです。
出発したエネルギーは、地球に到着したエネルギー×Ａです。
星の場合。
星から地球に到着するエネルギーを可視光の最低エネルギーである０．７７×１０−６ｍの波長とします。この軌道は、０．７７×１０−６ｍ÷２＝３．８５×１０−７ｍです。
電子のラブの秒速を４×１０６ｍとしますから、
電気の光子のエネルギーは、
１０−２３Ｊ・ｍ÷（３．８５×１０−７ｍ）＝２．６×１０−１７Ｊです。ｂ＝２．６×１０−１７Ｊです。
磁気の光子のエネルギーは、
１０−３９Ｊ・ｍ÷（３．８５×１０−７ｍ）＝２．６×１０−３３Ｊです。ｂ′＝２．６×１０−３３Ｊです。
星から出発する電気の光子のエネルギーは、
Ａ＝２×星からの距離÷（３×１０８ｍ）ですから、
ａ＝ｂ×Ａ＝２．６×１０−１７Ｊ×Ａ  です。
星から出発する磁気の光子のエネルギーは、
ａ′＝ｂ′×Ａ＝２．６×１０−３３Ｊ×Ａです。
出発したエネルギーは、地球に到着したエネルギー×Ａです。
出発した軌道は、地球に到達した軌道÷Ａです。
【請求項１２】
宇宙の星において、その星のエネルギーが地球のエネルギーのＡ倍であるとすると、その場の電子のラブの、公転軌道と、自転軌道と、１秒間の公転数と、１秒間の自転数と、１公転でできる電気の光子１個のエネルギーと、１自転でできる磁気の光子１個のエネルギーと、１秒間にできる電気の光子のエネルギーと、１秒間にできる磁気の光子のエネルギーと、ラブの１回転の運動量と、電気の光子の１回転の運動量と、磁気の光子１０８個の１回転の運動量と、引力の式と、磁気の光子１個の１回転の運動量と、１秒間にできる電気の光子の運動量と、１秒間にできる磁気の光子の運動量はいくらか。
宇宙の場において、その場のエネルギーが地球のエネルギーのＡ倍であるとすると、軌道はＡ分の１です。エネルギーはＡ倍です。
▲１▼原子の中の電子のラブの秒速を４×１０４ｍとする場合。
公転軌道は、１．２５×１０−１２ｍ÷Ａ  です。
自転軌道は、１．２５×１０−２０ｍ÷Ａ  です。
１秒間の公転数は、４×１０４ｍ÷（３．１４×１．２５×１０−１２ｍ÷Ａ）＝１０１６×Ａ  回転です。
１秒間の自転数は、４×１０４ｍ÷（３．１４×１．２５×１０−２０ｍ÷Ａ）＝１０２４×Ａ  回転です。
１公転でできる電気の光子１個のエネルギーは、８×１０−３０Ｊ×Ａ  です。
１自転でできる磁気の光子１個のエネルギーは、８×１０−３８Ｊ×Ａ  です。
１秒間にできる電気の光子のエネルギーは、１公転でできる電気の光子１個のエネルギー×１秒間の公転数＝８×１０−３０Ｊ×Ａ×１０１６×Ａ＝８×１０−１４Ｊ×Ａ２  です。
１秒間にできる磁気の光子のエネルギーは、１自転でできる磁気の光子１個のエネルギー×１秒間の自転数＝８×１０−３８Ｊ×Ａ×１０２４×Ａ＝８×１０−１４Ｊ×Ａ２  です。
ラブの１回転の運動量は、１０−２５Ｊ・ｍ×Ａ  です。
電気の光子の１回転の運動量は、１秒間にできる電気の光子のエネルギー×公転軌道＝８×１０−１４Ｊ×Ａ２×１．２５×１０−１２ｍ÷Ａ＝１０−２５Ｊ・ｍ×Ａ  です。
磁気の光子１０８個の１回転の運動量は、１秒間にできる磁気の光子のエネルギー×自転軌道＝８×１０−１４Ｊ×Ａ２×１．２５×１０−２０ｍ÷Ａ＝１０−３３Ｊ・ｍ×Ａ  です。
引力の式は、１０−３３Ｊ・ｍ×Ａ  です。
磁気の光子１個の１回転の運動量＝１０−４１Ｊ・ｍ×Ａ  です。
１秒間にできる電気の光子の運動量は、１秒間にできる電気の光子のエネルギー×１秒間の回転数×ラブの公転軌道×３．１４＝１秒間にできる電気の光子のエネルギー×１秒間に走る距離＝１秒間にできる電気の光子のエネルギー×ラブの秒速＝８×１０−１４Ｊ×Ａ２×４×１０４ｍ＝３．２×１０−９Ｊ・ｍ×Ａ２です。
１秒間にできる磁気の光子の運動量は、１秒間にできる磁気の光子のエネルギー×ラブの秒速＝８×１０−１４Ｊ×Ａ２×４×１０４ｍ＝３．２×１０−９Ｊ・ｍ×Ａ２です。
▲２▼原子の中の電子のラブの秒速を４×１０６ｍとする場合。
公転軌道は、１．２５×１０−１０ｍ÷Ａ  です。
自転軌道は、１．２５×１０−１８ｍ÷Ａ  です。
１秒間の公転数は、４×１０６ｍ÷（３．１４×１．２５×１０−１０ｍ÷Ａ）＝１０１６×Ａ  回転です。
１秒間の自転数は、４×１０６ｍ÷（３．１４×１．２５×１０−１８ｍ÷Ａ）＝１０２４×Ａ  回転です。
１公転でできる電気の光子１個のエネルギーは、８×１０−３０Ｊ×Ａ  です。
１自転でできる磁気の光子１個のエネルギーは、８×１０−３８Ｊ×Ａ  です。
１秒間にできる電気の光子のエネルギーは、１公転でできる電気の光子１個のエネルギー×１秒間の公転数＝８×１０−３０Ｊ×Ａ×１０１６×Ａ＝８×１０−１４Ｊ×Ａ２  です。
１秒間にできる磁気の光子のエネルギーは、１自転でできる磁気の光子１個のエネルギー×１秒間の自転数＝８×１０−３８Ｊ×Ａ×１０２４×Ａ＝８×１０−１４Ｊ×Ａ２  です。
ラブの１回転の運動量は、１０−２３Ｊ・ｍ×Ａ  です。
電気の光子の１回転の運動量は、１秒間にできる電気の光子のエネルギー×公転軌道＝８×１０−１４Ｊ×Ａ２×１．２５×１０−１０ｍ÷Ａ＝１０−２３Ｊ・ｍ×Ａ  です。
磁気の光子１０８個の１回転の運動量は、１秒間にできる磁気の光子のエネルギー×自転軌道＝８×１０−１４Ｊ×Ａ２×１．２５×１０−１８ｍ÷Ａ＝１０−３１Ｊ・ｍ×Ａ  です。
引力の式は、１０−３１Ｊ・ｍ×Ａ  です。
磁気の光子１個の１回転の運動量＝１０−３９Ｊ・ｍ×Ａ  です。
１秒間にできる電気の光子の運動量は、１秒間にできる電気の光子のエネルギー×１秒間の回転数×ラブの公転軌道×３．１４＝１秒間にできる電気の光子のエネルギー×１秒間に走る距離＝１秒間にできる電気の光子のエネルギー×ラブの秒速＝８×１０−１４Ｊ×Ａ２×４×１０６ｍ＝３．２×１０−７Ｊ・ｍ×Ａ２です。
１秒間にできる磁気の光子の運動量は、１秒間にできる磁気の光子のエネルギー×ラブの秒速＝８×１０−１４Ｊ×Ａ２×４×１０６ｍ＝３．２×１０−７Ｊ・ｍ×Ａ２です。
【請求項１３】
星において、電気の光子の１秒間の運動量は１秒間にできる電気の光子のエネルギー×秒速＝８×１０−１４Ｊ×Ａ２×秒速です。磁気の光子の１秒間の運動量は１秒間にできる磁気の光子のエネルギー×秒速＝８×１０−１４Ｊ×Ａ２×秒速です。この事は何を物語るか。電気の光子の１秒間の運動量は、１秒間にできる電気の光子のエネルギー×１秒間の回転数×ラブの公転軌道×３．１４＝１秒間にできる電気の光子のエネルギー×１秒間に走る距離＝１秒間にできる電気の光子のエネルギー×秒速です。
秒速が４×１０４ｍの場合は、
８×１０−１４Ｊ×Ａ２×４×１０４ｍ＝３．２×１０−９Ｊ・ｍ×Ａ２です。
秒速が４×１０６ｍの場合は、
８×１０−１４Ｊ×Ａ２×４×１０６ｍ＝３．２×１０−７Ｊ・ｍ×Ａ２です。
磁気の光子の１秒間の運動量は、１秒間にできる磁気の光子のエネルギー×１秒間の回転数×ラブの自転軌道×３．１４＝１秒間にできる磁気の光子のエネルギー×１秒間に走る距離＝１秒間にできる磁気の光子のエネルギー×秒速です。
秒速が４×１０４ｍの場合は、
８×１０−１４Ｊ×Ａ２×４×１０４ｍ＝３．２×１０−９Ｊ・ｍ×Ａ２です。
秒速が４×１０６ｍの場合は、
８×１０−１４Ｊ×Ａ２×４×１０６ｍ＝３．２×１０−７Ｊ・ｍ×Ａ２です。
この事は、地球において、電子のラブが作る光子の１秒間の運動量は、電子のラブの質量エネルギー×電子のラブの秒速＝一定です。
しかし、電子のラブが作る光子の１秒間の運動量は、宇宙においては一定ではない事が解る。
【請求項１４】
本当の星のエネルギーは地球のエネルギーの何倍か。
地球の場合。
電子のラブが１秒間につくる電気の光子のエネルギーは８×１０−１４Ｊです。
電子のラブが１秒間につくる磁気の光子のエネルギーは８×１０−１４Ｊです。
電子のラブが１秒間につくる電気の光子の運動量は、８×１０−１４Ｊ×ラブの秒速  です。
電子のラブが１秒間につくる磁気の光子の運動量は、８×１０−１４Ｊ×ラブの秒速  です。
地球の場合、１秒間の電子のラブの公転の運動量は電気の光子の運動量となり、一定です。
１秒間の電子のラブの自転の運動量は磁気の光子の運動量となり、一定です。
星の場合。
星の場合、地球のＡ２倍です。
それで、星の質量を地球の質量のＢ倍とすると、星のエネルギーは地球のエネルギーのＡ２Ｂ倍です。
Ａ倍のエネルギーは、星の外側のエネルギーです。
太陽の場合、地球のエネルギーの１０６倍です。それで、太陽の中心では核融合反応がおこなられます。
【請求項１５】
背景輻射ができた過程について。
現在、地球において背景輻射は２ｍｍの波長となっている。この軌道は１ｍｍです。
これは、ビッグバンで、陽子のラブや電子のラブから放出した電気の光子と磁気の光子が急に軌道を拡大した光子です。
ビッグバンから現在まで、光子は２．７×１０２５ｍ走っているのでビッグバンのときの軌道は、２×２．７×１０２５ｍ÷（３×１０８ｍ）＝１．８×１０１７倍になっている。
ビッグバンの時の光子の軌道は、
１０−３ｍ÷（１．８×１０１７）＝５．５６×１０−２１ｍです。
これは、ビッグバンで、陽子のラブや電子のラブから放出した電気の光子と磁気の光子が絶対０度の宇宙に出て、急に軌道を拡大した光子です。
急に軌道を５．５６×１０−２１ｍに拡大しました。
１４０億年代の電子のラブの公転軌道は、６．８×１０−２８ｍです。電子のラブの公転によってできた電気の光子は電子のラブから放出し、５．５６×１０−２１ｍの軌道に拡大しました。
１４０億年代の電子のラブの自転軌道は、６．８×１０−３６ｍです。電子のラブの自転によってできた磁気の光子は電子のラブから放出し、５．５６×１０−２１ｍの軌道に拡大しました。
ビッグバンで、電気の光子は、
５．５６×１０−２１ｍ÷（６．８×１０−２８ｍ）＝８×１０６倍に拡大しました。
磁気の光子は、６．８×１０−３６ｍの軌道から、５．５６×１０−２１ｍの軌道に拡大しました。
ビッグバンで、磁気の光子は、
５．５６×１０−２１ｍ÷（６．８×１０−３６ｍ）＝８×１０１４倍に拡大しました。
もしかしたら、ビッグバンのとき、電子のラブや陽子のラブは、公転はしておらず自転だけだったかもしれません。それで、現在、地球の背景輻射は磁気の光子だけかもしれません。
【請求項１６】
現在の宇宙の１回転の運動量は、１４０億年代の１回の運動量の何倍になっているか。
▲１▼現在の宇宙の１回の運動量を太陽のエネルギーとすると、
太陽のラブの１回転の運動量は１０−２０Ｊ・ｍで、１４０億年代のラブの１回の運動量は１．８３×１０−６Ｊ・ｍですから、
太陽の１回の運動量は１４０億年代の１回の運動量の、
１０−２０Ｊ・ｍ÷（１．８３×１０−６Ｊ・ｍ）＝５．４６×１０−１５倍です。
▲２▼現在の宇宙を銀河系の中心とすると、
銀河系の中心は地球から約５万光年離れているから、その場の１回転の運動量は、１０４年と１０５年の中間の、ラブの１回の運動量です。
１０４年のラブの１回の運動量は、６．３×１０−１２Ｊ・ｍです。
１０５年のラブの１回の運動量は、６．３×１０−１１Ｊ・ｍです。
５×１０４年のラブの１回の運動量は、
６．３×１０−１２Ｊ・ｍ＋６．３×１０−１１Ｊ・ｍ÷２＝３．４６５×１０−１１Ｊ・ｍです。
それで、銀河系の中心のラブの１回の運動量は１４０億年代のラブの１回の運動量の、
３．４６５×１０−１１Ｊ・ｍ÷（１．８３×１０−６Ｊ・ｍ）＝１．９×１０−５倍です。
【発明の詳細な説明】
【技術分野】
【０００１】本発明は素粒子と宇宙に関する。
宇宙において素粒子はどのようになっているかに関する。
中性子ができた場の引力と中性子が崩壊する場の引力の関係について。
素粒子の運動量について。
素粒子の１回転の運動量について。
原子の中の、電子のラブや光子の秒速と公転軌道や１回転の運動量の関係について。
宇宙の星のエネルギーは地球のエネルギーの何倍であるかについて。
宇宙の星から出発した光子のエネルギーについて。
宇宙の星において、その星のエネルギーが地球のエネルギーのＡ倍であるとすると、その場の電子のラブの、公転軌道と、自転軌道と、１秒間の公転数と、１秒間の自転数と、１公転でできる電気の光子１個のエネルギーと、１自転でできる磁気の光子１個のエネルギーと、１秒間にできる電気の光子のエネルギーと、１秒間にできる磁気の光子のエネルギーと、ラブの１回転の運動量と、電気の光子の１回転の運動量と、磁気の光子１０８個の１回転の運動量と、引力の式と、磁気の光子１個の１回転の運動量と、１秒間にできる電気の光子の運動量と、１秒間にできる磁気の光子の運動量はいくらか、について。
本当の星の素粒子のエネルギーはＡ２倍であることについて。
背景輻射ができた過程について。
現在の宇宙の素粒子の１回転の運動量と、１４０億年前の宇宙の素粒子の１回転の運動量について。
【背景技術】
【０００２】従来、中性子を作る引力と中性子を崩壊する引力の関係は理解されていない。星の電子の公転軌道と、自転軌道と、１秒間の公転数と、１秒間の自転数と、１公転でできる電気の光子１個のエネルギーと、１自転でできる磁気の光子１個のエネルギーと、１秒間にできる電気の光子のエネルギーと、１秒間にできる磁気の光子のエネルギーと、ラブの１回転の運動量と、電気の光子の１回転の運動量と、磁気の光子１０８個の１回転の運動量と、引力の式と、磁気の光子１個の１回転の運動量と、１秒間にできる電気の光子の運動量と、１秒間にできる磁気の光子の運動量については理解されていない。
【発明の開示】
【発明が解決しようとする課題】
【０００３】１．  中性子が崩壊する時と中性子ができる時の引力はどのようであるか。
２．  引力は２種類に分けて考えられます。本発明者の引力は、１原子でできる引力であり、磁気の光子のエネルギーです。
３．  引力によって何が解るか。
４．  本発明者の運動量は１回転の運動量です。
５．  運動量を１回転の運動量として考える事によってどのような利点があるか。
６．  本発明者は、エネルギー＝定数Ｊ・ｍ÷軌道。軌道＝定数Ｊ・ｍ÷エネルギー  と考えていた。この事は、定数Ｊ・ｍ＝１回転の運動量です。
７．  原子の中で、電子のラブと光子の速度が４×１０４ｍと仮定した場合の、自転軌道と自転回数と、公転軌道と公転回数と、ラブの１回転の運動量と、電気の光子の１回転の運動量、と磁気の光子１０８個の１回転の運動量と、磁気の光子の１回転の運動量について。
原子の中で、電子のラブと光子の速度が４×１０６ｍと仮定した場合の、自転軌道と自転回数と、公転軌道と公転回数と、ラブの１回転の運動量と、電気の光子の１回転の運動量、と磁気の光子１０８個の１回転の運動量と、磁気の光子の１回転の運動量について。
８．  本発明者は、電子のラブの秒速を円周率を乗じた値にしている。もし円周率を乗じなければ、どれ位か。
９．  電気の光子１個のエネルギー：磁気の光子１個のエネルギー＝１：１０−１６であるのはどうしてか。
１０．  宇宙の星のエネルギーは地球のエネルギーの何倍か。
１１．  宇宙の星から出発した光子のエネルギーはどれ位か。
１２．  宇宙の星において、その星のエネルギーが地球のエネルギーのＡ倍であるとすると、その星の電子のラブの、公転軌道と、自転軌道と、１秒間の公転数と、１秒間の自転数と、１公転でできる電気の光子１個のエネルギーと、１自転でできる磁気の光子１個のエネルギーと、１秒間にできる電気の光子のエネルギーと、１秒間にできる磁気の光子のエネルギーと、ラブの１回転の運動量と、電気の光子の１回転の運動量と、磁気の光子１０８個の１回転の運動量と、引力の式と、磁気の光子１個の１回転の運動量と、１秒間にできる電気の光子の運動量と、１秒間にできる磁気の光子の運動量はいくらか。
１３．  星において、電気の光子の１秒間の運動量は１秒間にできる電気の光子のエネルギー×秒速＝８×１０−１４Ｊ×Ａ２×秒速です。磁気の光子の１秒間の運動量は１秒間にできる磁気の光子のエネルギー×秒速＝８×１０−１４Ｊ×Ａ２×秒速です。この事は何を物語るか。
１４．  本当の星のエネルギーは地球のエネルギーの何倍か。
１５．  背景輻射ができた過程について。
１６．  現在の宇宙の１回の運動量は、１４０億年代の１回転の運動量の何倍になっているか。
【発明を解決するための手段】
【０００４】▲１▼中性子が崩壊する時と中性子ができる時の引力はどのようであるか。
引力は電子のラブの自転によってできる。自転軌道が小さくなると磁気の光子のエネルギーは大きくなり、引力は大きくなる。
中性子ができるのは、高エネルギーの場に居て、電子のラブの公転軌道が小さくなり、自転軌道も小さくなり、磁気の光子のエネルギーが大きくなり、引力が大きくなるためです。
それで、陽子のラブは電子のラブの自転の中に引き込まれる。
中性子が崩壊するのは、低エネルギーの場に出て、電子のラブの公転軌道が大きくなり、自転軌道も大きくなり、磁気の光子のエネルギーは小さくなり、引力が小さくなるからです。
▲２▼原子の中の、電子のラブや光子の秒速と軌道の関係は、ラブの公転軌道が１００倍になると秒速も１００倍になる。電子のラブの公転が１．２５×１０−１２ｍの場合は秒速は４×１０４ｍであり、１．２５×１０−１０ｍの場合は秒速は４×１０６ｍとなる。秒速が４×１０６ｍの場合は、ラブの軌道エネルギー（１回転の運動量）は１０−２３Ｊ・ｍで、磁気の光子１０８個の軌道エネルギー（１回転の運動量）は１０−３１Ｊ・ｍです。万有引力の軌道エネルギーは磁気の光子１０８個の軌道エネルギーで１０−３１Ｊ・ｍですから、秒速は４×１０６ｍです。
▲３▼本発明者は、２００４年６月１１日提出した特願２００４−２０２４９６の１番において、光子は走る事によってエネルギーを減少するとした。その一般式は、出発する光子のエネルギーをａとし、、地球に到着するエネルギーをｂとし、
ｂ＝ａ×Ｋ÷（２×走った距離）
ａ＝ｂ×２×走った距離÷Ｋとした。
そして、２００４年７月３１日提出した特願２００４−２４７５７４の１０番において、Ｋ＝１．１２×１０９ｍと求めた。これは、次の式によってである。
地球のマクロの軌道エネルギーの式は、ＡＪ×Ｋ÷軌道である。
地球の場合、ＡＪ＝６．６７×１０−３５Ｊである。
地球の原子の軌道エネルギーの式は、０．７５×１０−２５Ｊ・ｍ÷軌道  である。
それで、ＡＪ×Ｋ÷軌道＝６．６７×１０−３５Ｊ×Ｋ÷軌道＝０．７５×１０−２５Ｊ・ｍ÷軌道
Ｋ＝０．７５×１０−２５Ｊ・ｍ÷（６．６７×１０−３５Ｊ）＝１．１２×１０９ｍである。
今回は、０．７５×１０−２５Ｊ・ｍは１０−２５Ｊ・ｍです。（秒速を４×１０４ｍとします。）
６．６７×１０−３５Ｊは２．６×１０−３５Ｊです。
それで、Ｋ＝１０−２５Ｊ÷（２．６×１０−３５Ｊ）＝３．８×１０９ｍです。
でも、本発明者は、今回、Ｋ＝３×１０８ｍとしました。１秒走って光子のエネルギーは１／１０減少するとしました。
ａ＝ｂ×２×走った距離÷Ｋですから、２×走った距離÷Ｋ＝Ａとすることによって、星のエネルギーは地球のエネルギーの約Ａ倍であるとみなす事ができる。
この事によって、星の電子のラブの公転軌道は、地球の電子のラブの公転軌道のＡ分の１であり、エネルギーはＡ倍であることが理解できる。
【発明の実施態様】
【０００５】１．  中性子が崩壊する時と中性子ができる時の引力はどのようであるか。
Ａ．の考え。
中性子が崩壊後、陽子と電子になる場合。
中性子が崩壊後、陽子と電子になり、水素に成ると仮定すると、電子のラブの軌道は、中性子の電子のラブの公転軌道から、水素の電子のラブの公転軌道になる。
１／２スピンの核磁気モーメントを−Ａとすると、中性子の電子のラブの公転軌道は６．１９４×１０−１４ｍ×Ａです。
電子のラブの公転軌道は１．３２２×１０−１０ｍ×Ａです。
水素の場合、１／２スピンで核磁気モーメントは＋２．７９２７７です。これは＋なのですが、Ｈｅの核磁気モーメントが１／２スピンで−２．１２７５６ですから、水素の電子のラブの公転軌道はＨｅより大きいはずですから＋２．７９２７７をＡとします。
それで、水素の電子のラブの公転軌道は、１．３２２×１０−１０ｍ×Ａ＝１．３２２×１０−１０ｍ×２．７９２７７＝３．７×１０−１０ｍです。
中性子のＡは約０．１から０．２ですから、Ａ＝０．１５としますと、中性子の電子のラブの公転軌道は、
６．１９４×１０−１４ｍ×Ａ＝６．１９４×１０−１４ｍ×０．１５＝０．９２９×１０−１４ｍです。
軌道は、０．９２９×１０−１４ｍから３．７×１０−１０ｍに拡大します。
公転軌道は、３．７×１０−１０ｍ÷（０．９２９×１０−１４ｍ）＝４×１０４倍になります。
軌道が大きくなると、物と物の間の距離は同じでも軌道のエネルギーは小さくなるので、引力＝１÷距離２の式より、
引力は１÷（４×１０４）２＝６．２５×１０−１０倍になります。
この引力により中性子の陽子のラブは電子のラブの自転から抜け出ます。
一方、原子の電子のラブから中性子の電子のラブになる場合。
１／２スピンの核磁気モーメントを−Ａとすると、中性子の電子のラブの公転軌道は６．１９４×１０−１４ｍ×Ａです。電子のラブの公転軌道は１．３２２×１０−１０ｍ×Ａです。
それで、原子の電子のラブから中性子の電子のラブになるとき、公転軌道は、
６．１９４×１０−１４ｍ×Ａ）÷（１．３２２×１０−１０ｍ×Ａ）＝４．６８５×１０−４倍になります。
軌道が４．６８５×１０−４倍になるという事は、引力は、
１÷（４．６８５×１０−４）２＝４．５５×１０６倍になるという事です。
この引力により、陽子のラブは電子のラブの自転の中に引き込まれます。
Ｂ．又次のようにも考えられる。本発明者はこちらの考え方がより正しいと思います。図１中性子が崩壊後、陽子と電子になる場合。
中性子が崩壊後、陽子と電子になり、水素に成ると仮定すると、電子のラブの軌道は、中性子の電子のラブの公転軌道から、水素の電子のラブの公転軌道になる。
この時、公転軌道は、３．７×１０−１０ｍ÷（０．９２９×１０−１４ｍ）＝４×１０４倍になります。
公転軌道が４×１０４倍になりますから、自転軌道も４×１０４倍になります。
エネルギーは４×１０４分の１になります。磁気の光子のエネルギーは４×１０４分の１になります。それで、引力は４×１０４分の１になりますから、中性子の陽子のラブは電子の自転から抜け出ます。
１原子で、１秒間にできる磁気の光子１０８個のエネルギーは１０−３１Ｊ・ｍ÷（４×１０４）＝２．５×１０−３６Ｊ・ｍです。
一方、原子の電子のラブから中性子の電子のラブになって、陽子のラブが電子のラブの自転に引き込まれる場合。
原子の電子のラブから中性子の電子のラブになるとき、公転軌道は、
６．１９４×１０−１４ｍ×Ａ÷（１．３２２×１０−１０ｍ×Ａ）＝４．６８５×１０−４倍になります。
自転軌道も４．６８５×１０−４倍になります。
それで、エネルギーは４．６８５×１０−４分の１になります。エネルギーは、１÷（４．６８５×１０−４）＝２．１３×１０３倍になります。磁気の光子のエネルギーは２．１３×１０３倍になります。それで、引力は２．１３×１０３倍になりますから、電子の自転の中に陽子のラブは引き込まれます。
１原子で、１秒間にできる磁気の光子１０８個のエネルギーは１０−３１Ｊ・ｍ×２．１３×１０３＝２．１３×１０−２８Ｊ・ｍです。
陽子のラブが電子のラブの自転軌道の中に引き込まれる理由は、電子のラブでできる磁気の光子のエネルギーのほうが陽子のラブでできる磁気の光子のエネルギーの約２０００倍であるからです。
２．  引力は２種類に分けて考えられます。本発明者が問題としている引力は、物自ら放出している引力で、１原子から放出している磁気の光子です。
引力は２種類に分けて考えられます。
１つは物と物との間に働く引力です。
１つは磁気の光子のエネルギーとして、物自ら放出している引力です。
物と物との間に働く引力は、物自ら放出している磁気の光子の合流です。
本発明者が問題としている引力は、物自ら放出している引力です。
即ち、物自ら放出している磁気の光子のエネルギーです。
物は原子ですから、原子から放出している磁気の光子です。
それが、１原子では、１０−３１Ｊ・ｍです。
３．  引力によって何が解るか。
引力は磁気の光子の軌道エネルギー（１回転の運動量）です。それで、引力を知る事によって、電気の光子の軌道エネルギーを知る事ができます。引力がαＪ・ｍですと、電気の光子の軌道エネルギー（１回転の運動量）は、αＪ・ｍ×１０８です。磁気の光子１個の軌道エネルギー（１回の運動量）はαＪ・ｍ×１０−８です。
物と物も間の引力がＹである場合、物自ら放出する引力はＹ１／２です。
物自ら放出する引力はＹ１／２で、これは磁気の光子です。
それで、物自ら放出する電気の光子のエネルギーはＹ１／２×１０８です。
４．  本発明者の運動量は１回転の運動量です。
本来、運動量は＝１秒間にできるエネルギー×１秒間に走る距離＝１秒間にできるエネルギー×秒速＝１秒間にできるエネルギー×軌道×１秒間の回転数＝１秒間にできるエネルギー×１秒間に走る距離＝１秒間にできるエネルギー×秒速＝ラブの質量エネルギー×ラブの秒速です。
しかし、本発明者は、運動量＝１秒間にできるエネルギー×軌道として考えています。
本発明者の考えている運動量は、１回転の運動量です。
１回転の運動量＝１秒間にできるエネルギー×軌道×１秒間の回転数÷１秒間の回転数＝１秒間にできるエネルギー×軌道＝軌道エネルギー。
５．  運動量を１回転の運動量として考える事によってどのような利点があるか。
従来考えられている運動量は＝１秒間にできるエネルギー×１秒間に走る距離＝１秒間にできるエネルギー×秒速＝ラブの質量エネルギー×ラブの秒速＝一定です。
しかし、本発明者が考えている運動量＝１秒間にできるエネルギー×軌道  の式では、１秒間にできるエネルギーは、ラブがどれ位の軌道を回転してできたものであるかが理解できます。
どれ位の軌道では、どれだけのエネルギーになっているのか、軌道とエネルギーの関係が理解できます。
６．  本発明者は、エネルギー＝定数Ｊ・ｍ÷軌道。軌道＝定数Ｊ・ｍ÷エネルギー  と考えていた。この事は、定数Ｊ・ｍ＝１回転の運動量です。
軌道×エネルギー＝軌道×その軌道に於いて１秒間にできるエネルギー＝１回転の運動量です。
本発明者は、軌道エネルギーの式を、エネルギー＝定数Ｊ・ｍ÷軌道  として表現してきたが、これからは、１回転の運動量１つで表現する。定数Ｊ・ｍとして表す。
７．  原子の中で、電子のラブと光子の速度が４×１０４ｍと仮定した場合の、自転軌道と自転回数と、公転軌道と公転回数と、ラブの１回転の運動量と、電気の光子の１回転の運動量、と磁気の光子１０８個の１回転の運動量と、磁気の光子の１回転の運動量について。
原子の中で、電子のラブと光子の速度が４×１０６ｍと仮定した場合の、自転軌道と自転回数と、公転軌道と公転回数と、ラブの１回転の運動量と、電気の光子の１回転の運動量、と磁気の光子１０８個の１回転の運動量と、磁気の光子の１回転の運動量について。
本発明者は、２００４年９月２９日提出した特願２００４−３１３０９８の（９番）では、原子の中の光速を３×１０７ｍとして計算しています。
それで、１秒間に６．９×１０３４回自転し、１０１９回公転する、としています。
２００４年１１月２２日提出した特願２００４−３６８４５９の（１１番）と（１７番）でも、原子の中の速度を３×１０７ｍとして計算しています。
それで、自転軌道は１．２５×１０−２８ｍで、１秒間に７．６×１０３４回自転する。公転軌道は１．２５×１０−１２ｍで、１秒間に７．６×１０１８回公転する、としています。
２００４年１２月２１日提出した特願２００４−３８２７４３の（８番）では、原子の中で、電子のラブが公転する時の秒速は３．９２５×１０４ｍであると計算しました。
（２番）では、電子のラブが１公転して１０８個の電気の光子の輪を作っているとしています。
１秒間に１０１６回公転する、としています。
２００５年２月２２日提出した特願２００５−８２５７８の（５番）では、原子の中で、電子のラブの公転速度は３．９２５×１０４ｍとして計算しています。
２００５年３月２８日提出した特願２００５−１２５６４６の（９番）では、原子の中で、電子のラブの公転速度は４×１０４ｍとして計算しています。
２００５年５月１０日提出した特願２００５−１６６１３４の（４番）では、原子の中で、電子のラブの公転速度は４×１０４ｍとして計算しています。
（１番）で、やっと、１個の電気の光子がＸ線であると気づきました。それまで、１０８個の電気の光子でＸ線１個と考えていました。１公転で、１０８個の電気の光子ができると考えていました。
（７番）で、電子のラブは１秒間に１．２５×１０−１２ｍの軌道を１０１６回公転し、１０１６個の電気の光子を作る。
電気の光子１個のエネルギーは８×１０−３０Ｊですから、１．２５×１０−１２ｍの軌道で、１秒間に８×１０−１４Ｊの電気の光子を作る。
電子のラブは１秒間に１．２５×１０−２０ｍの軌道を１０２４回自転し、１０２４個の磁気の光子を作る。
磁気の光子１個のエネルギーは８×１０−３８Ｊですから、１．２５×１０−２０ｍの軌道で、１秒間に８×１０−１４Ｊの磁気の光子を作る、としています。
２００５年５月１８日提出の特願２００５−１７４２３０の（１１番）では、電子のラブの秒速を４×１０６ｍとしています。それなのに、１０１６回公転するとしています。これは、公転軌道を１．２５×１０−１０ｍとしているからです。どうして、公転軌道を１．２５×１０−１０ｍとしたかは、１０−３１Ｊ・ｍである万有引力を中心に考えているからです。電子のラブの公転軌道を、１０−２３Ｊ・ｍ÷（８×１０−１４Ｊ）＝１．２５×１０−１０ｍで求めているからです。
そうしますと、１０−２３Ｊ・ｍでは、電子のラブの秒速は４×１０６ｍです。
１０−２５Ｊ・ｍでは、電子のラブの秒速は４×１０４ｍです。
質量エネルギーは８×１０−１４Ｊですから、公転軌道を１．２５×１０−１２ｍとしたら、電子のラブの秒速は４×１０４ｍです。
公転軌道を１．２５×１０−１０ｍとしたら、電子のラブの秒速は４×１０６ｍです。
１０−３１Ｊ・ｍである万有引力を中心に考えると、電子のラブの秒速は４×１０６ｍです。
それで、原子の中の、電子のラブの秒速と、自転軌道と自転の回転数と、公転軌道と公転の回転数と、ラブの１回転の運動量と、電気の光子の１回転の運動量、と磁気の光子１０８個の１回転の運動量と、磁気の光子の１回転の運動量の関係は次のようになります。
▲１▼原子の中の、電子のラブの秒速が４×１０４ｍの場合。
４×１０４ｍ÷（３．１４×１．２５×１０−２０ｍ）＝１０２４
電子のラブの自転軌道は１．２５×１０−２０ｍで１０２４回自転します。
４×１０４ｍ÷（３．１４×１．２５×１０−１２ｍ）＝１０１６
電子のラブの公転軌道は１．２５×１０−１２ｍで１０１６回公転します。
ラブの軌道エネルギー＝ラブの１回転の運動量＝１０−２５Ｊ・ｍ  です。
電気の光子の軌道エネルギー＝電気の光子の１回転の運動量＝１０−２５Ｊ・ｍ  です。
磁気の光子１０８個の軌道エネルギー＝磁気の光子１０８個の１回転の運動量＝１０−３３Ｊ・ｍ  です。
磁気の光子１個の軌道エネルギー＝磁気の光子１個の１回転の運動量＝１０−４１Ｊ・ｍ  です。
▲２▼原子の中の、電子のラブの秒速が４×１０６ｍの場合。
４×１０６ｍ÷（３．１４×１．２５×１０−１８ｍ）＝１０２４
電子のラブの自転軌道は１．２５×１０−１８ｍで１０２４回自転します。
４×１０６ｍ÷（３．１４×１．２５×１０−１０ｍ）＝１０１６
電子のラブの公転軌道は１．２５×１０−１０ｍで１０１６回公転します。
ラブの軌道エネルギー＝ラブの１回転の運動量＝１０−２３Ｊ・ｍ  です。
電気の光子の軌道エネルギー＝電気の光子の１回転の運動量＝１０−２３Ｊ・ｍ  です。
磁気の光子１０８個の軌道エネルギー＝磁気の光子１０８個の１回転の運動量＝１０−３１Ｊ・ｍ  です。これが万有引力の式です。
磁気の光子１個の軌道エネルギー＝磁気の光子１個の１回転の運動量＝１０−３９Ｊ・ｍ  です。
これを表にします。
2006067796.tif 000003
８．  本発明者は電子のラブの秒速を円周率を乗じた値にしている。もし円周率を乗じなければ、どれ位か。
本発明者は電子の秒速を円周率を乗じた値にしている。
もし円周率を乗じなければ、電子のラブの秒速は４×１０６ｍ÷３．１４＝１．２７×１０６ｍであり、
陽子のラブの秒速は２×１０３ｍ÷３．１４＝０．６３７×１０３ｍです。
９．  電気の光子１個のエネルギー：磁気の光子１個のエネルギー＝１：１０−１６であるのはどうしてか。
電子のラブの秒速を４×１０６ｍとする。
電子のラブは１．２５×１０−１８ｍの軌道を１自転し１０−３８Ｊの磁気の光子１個を作る。
この磁気の光子の軌道が１０８倍に成るとエネルギーは１０８分の１に成る。
磁気の光子の軌道が、電気の光子の軌道と同じ大きさに成るとき、磁気の光子の軌道が１０８倍に成る。
電子のラブは１．２５×１０−１０ｍの軌道を１公転し１０−３０Ｊの電気の光子１個を作る。
それで、磁気の光子の軌道が電気の光子の軌道と同じ大きさに成った時、１．２５×１０−１０ｍの軌道になった時、磁気の光子１個のエネルギーは１０−３８Ｊ×１０−８＝１０−４６Ｊになる。
それで、同じ軌道になった時、電気の光子１個のエネルギー：磁気の光子１個のエネルギー＝１０−３０Ｊ：１０−４６Ｊ＝１：１０−１６になる。
１０．  宇宙の星のエネルギーは地球のエネルギーの何倍か。図２
宇宙の星から出発する光子のエネルギーをａとし、地球にたどり着く光子のエネルギーをｂとすると、
ａ＝ｂ×２×光子が走った距離÷Ｋ  です。Ｋ＝光速＝３×１０８ｍとする。
ａ＝ｂ×２×光子が走った距離÷（３×１０８ｍ）
そうしますと、星のエネルギーは、地球のエネルギーの２×光子が走った距離÷（３×１０８ｍ）倍とみなす事ができる。この倍数をＡとする。
例えば、太陽の場合。光子が走った距離は、１．４９６×１０１１ｍですから、
太陽のエネルギーは、地球のエネルギーの、
２×１．４９６×１０１１ｍ÷（３×１０８ｍ）＝１０３倍とみなす事ができる。この倍数をＡとする。
例えば、１光年の場合、走った距離は、９．４６×１０１５ｍですから、
ａ＝ｂ×２×９．４６×１０１５ｍ÷（３×１０８ｍ）＝ｂ×６．３×１０７
１光年の場のエネルギーは地球のエネルギーの６．３×１０７倍です。
よって、宇宙の場において、その場のエネルギーは地球のエネルギーの、
２×走った距離÷（３×１０８ｍ）倍のエネルギーです。
Ａ＝２×走った距離÷（３×１０８ｍ）倍です。
１１．  宇宙の星から出発した光子のエネルギーはどれ位か。
本発明者は、特願２００４−２０２４９６において、宇宙の星から出発した光子のエネルギーをａとし、地球にたどり着く光子のエネルギーをｂとし、定数をＫとし、
ｂ＝ａ×Ｋ÷軌道＝ａ×Ｋ÷（２×走った距離）
ａ＝ｂ×２×走った距離÷Ｋ  とした。
今回はＫ＝光速＝３×１０８ｍとする。
ａ＝ｂ×２×走った距離÷（３×１０８ｍ）
ａ＝ｂ×Ａ
▲１▼原子の中の電子のラブの秒速を４×１０４ｍとする場合。
太陽の場合。
地球にたどり着く光子の波長を最高の可視光ある０．３８×１０−６ｍの波長とする。
この軌道は、０．３８×１０−６ｍ÷２＝１．９×１０−７ｍです。
１．９×１０−７ｍの電気の光子のエネルギーは、１０−２５Ｊ・ｍ÷（１．９×１０−７ｍ）＝５．２６×１０−１９Ｊです。ｂ＝５．２６×１０−１９Ｊです。
１．９×１０−７ｍの磁気の光子のエネルギーは、１０−４１Ｊ・ｍ÷（１．９×１０−７ｍ）＝５．２６×１０−３５Ｊです。ｂ′＝５．２６×１０−３５Ｊです。
電気の光子はａとｂとします。
磁気の光子はａ′とｂ′とします。
太陽を出発した電気の光子のエネルギーは、
Ａ＝２×走った距離÷（３×１０８ｍ）＝２×１．４９６×１０１１ｍ÷（３×１０８ｍ）＝１０３ですから、
ａ＝ｂ×２×走った距離÷（３×１０８ｍ）＝ｂ×Ａ＝５．２６×１０−１９Ｊ×１０３＝５．２６×１０−１６Ｊです。
この軌道は、１０−２５Ｊ・ｍ÷（５．２６×１０−１６Ｊ）＝１．９×１０−１０ｍです。
太陽を出発した磁気の光子のエネルギーは、
ａ′＝ｂ′×２×走った距離÷（３×１０８ｍ）＝ｂ′×Ａ＝５．２６×１０−３５Ｊ×１０３＝５．２６×１０−３２Ｊです。
この軌道は、１０−４１Ｊ・ｍ÷（５．２６×１０−３２Ｊ）＝１．９×１０−１０ｍです。
星の場合。
地球にたどり着く光子の波長を最低の可視光ある０．７７×１０−６ｍの波長とする。
この軌道は、０．７７×１０−６ｍ÷２＝３．８５×１０−７ｍです。
３．８５×１０−７ｍの電気の光子のエネルギーは、１０−２５Ｊ・ｍ÷（３．８５×１０−７ｍ）＝２．６×１０−１９Ｊです。ｂ＝２．６×１０−１９Ｊです。
３．８５×１０−７ｍの磁気の光子のエネルギーは、１０−４１Ｊ・ｍ÷（３．８５×１０−７ｍ）＝２．６×１０−３５Ｊです。ｂ′＝２．６×１０−３５Ｊです。
特願２００４−２０２４９６ではこの値を６．６７×１０−３５Ｊとしました。
例えば、
１光年の星から出発した電気の光子のエネルギーは、
Ａ＝２×９．４６×１０１５ｍ÷（３×１０８ｍ）＝６．３×１０７
ａ＝ｂ×２×走った距離÷（３×１０８ｍ）＝ｂ×Ａ＝２．６×１０−１９Ｊ×６．３×１０７＝１．６４×１０−１１Ｊです。
１光年の星から出発した磁気の光子のエネルギーは、
ａ′＝ｂ′×２×走った距離÷（３×１０８ｍ）＝ｂ×Ａ＝２．６×１０−３５Ｊ×６．３×１０７＝１．６４×１０−２７Ｊです。
▲２▼原子の中の電子のラブの秒速を４×１０６ｍとする場合。
太陽の場合。
地球にたどり着く光子の波長を最高の可視光ある０．３８×１０−６ｍの波長とする。
この軌道は、０．３８×１０−６ｍ÷２＝１．９×１０−７ｍです。
１．９×１０−７ｍの電気の光子のエネルギーは、
１０−２３Ｊ・ｍ÷（１．９×１０−７ｍ）＝５．２６×１０−１７Ｊです。ｂ＝５．２６×１０−１７Ｊです。
１．９×１０−７ｍの磁気の光子のエネルギーは、
１０−３９Ｊ・ｍ÷（１．９×１０−７ｍ）＝５．２６×１０−３３Ｊです。ｂ′＝５．２６×１０−３３Ｊです。
太陽から出発する電気の光子のエネルギーは、
ａ＝ｂ×Ａ＝５．２６３×１０−１７Ｊ×１０３＝５．２６×１０−１４Ｊ
この軌道は、１０−２３Ｊ・ｍ÷（５．２６×１０−１４Ｊ）＝１．９×１０−１０ｍです。
太陽から出発する磁気の光子のエネルギーは、
ａ′＝ｂ′×Ａ＝５．２６×１０−３３Ｊ×１０３＝５．２６×１０−３０Ｊ
この軌道は、１０−３９Ｊ・ｍ÷（５．２６×１０−３０Ｊ）＝１．９×１０−１０ｍです。
即ち、出発した軌道は、地球に到達した軌道÷Ａです。
出発したエネルギーは、地球に到着したエネルギー×Ａです。
星の場合。
星から地球に到着するエネルギーを可視光の最低エネルギーである０．７７×１０−６ｍの波長とします。この軌道は、０．７７×１０−６ｍ÷２＝３．８５×１０−７ｍです。
電子のラブの秒速を４×１０６ｍとしますから、
電気の光子のエネルギーは、
１０−２３Ｊ・ｍ÷（３．８５×１０−７ｍ）＝２．６×１０−１７Ｊです。ｂ＝２．６×１０−１７Ｊです。
磁気の光子のエネルギーは、
１０−３９Ｊ・ｍ÷（３．８５×１０−７ｍ）＝２．６×１０−３３Ｊです。ｂ′＝２．６×１０−３３Ｊです。
星から出発する電気の光子のエネルギーは、
Ａ＝２×星からの距離÷（３×１０８ｍ）ですから、
ａ＝ｂ×Ａ＝２．６×１０−１７Ｊ×Ａ  です。
星から出発する磁気の光子のエネルギーは、
ａ′＝ｂ′×Ａ＝２．６×１０−３３Ｊ×Ａです。
出発したエネルギーは、地球に到着したエネルギー×Ａです。
出発した軌道は、地球に到達した軌道÷Ａです。
１２．  宇宙の星において、その星のエネルギーが地球のエネルギーのＡ倍であるとすると、その場の電子のラブの、公転軌道と、自転軌道と、１秒間の公転数と、１秒間の自転数と、１公転でできる電気の光子１個のエネルギーと、１自転でできる磁気の光子１個のエネルギーと、１秒間にできる電気の光子のエネルギーと、１秒間にできる磁気の光子のエネルギーと、ラブの１回転の運動量と、電気の光子の１回転の運動量と、磁気の光子１０８個の１回転の運動量と、引力の式と、磁気の光子１個の１回転の運動量と、１秒間にできる電気の光子の運動量と、１秒間にできる磁気の光子の運動量はいくらか。
宇宙の場において、その場のエネルギーが地球のエネルギーのＡ倍であるとすると、軌道はＡ分の１です。エネルギーはＡ倍です。
▲１▼原子の中の電子のラブの秒速を４×１０４ｍとする場合。
公転軌道は、１．２５×１０−１２ｍ÷Ａ  です。
自転軌道は、１．２５×１０−２０ｍ÷Ａ  です。
１秒間の公転数は、４×１０４ｍ÷（３．１４×１．２５×１０−１２ｍ÷Ａ）＝１０１６×Ａ  回転です。
１秒間の自転数は、４×１０４ｍ÷（３．１４×１．２５×１０−２０ｍ÷Ａ）＝１０２４×Ａ  回転です。
１公転でできる電気の光子１個のエネルギーは、８×１０−３０Ｊ×Ａ  です。
１自転でできる磁気の光子１個のエネルギーは、８×１０−３８Ｊ×Ａ  です。
１秒間にできる電気の光子のエネルギーは、１公転でできる電気の光子１個のエネルギー×１秒間の公転数＝８×１０−３０Ｊ×Ａ×１０１６×Ａ＝８×１０−１４Ｊ×Ａ２  です。
１秒間にできる磁気の光子のエネルギーは、１自転でできる磁気の光子１個のエネルギー×１秒間の自転数＝８×１０−３８Ｊ×Ａ×１０２４×Ａ＝８×１０−１４Ｊ×Ａ２  です。
ラブの１回転の運動量は、１０−２５Ｊ・ｍ×Ａ  です。
電気の光子の１回転の運動量は、１秒間にできる電気の光子のエネルギー×公転軌道＝８×１０−１４Ｊ×Ａ２×１．２５×１０−１２ｍ÷Ａ＝１０−２５Ｊ・ｍ×Ａ  です。
磁気の光子１０８個の１回転の運動量は、１秒間にできる磁気の光子のエネルギー×自転軌道＝８×１０−１４Ｊ×Ａ２×１．２５×１０−２０ｍ÷Ａ＝１０−３３Ｊ・ｍ×Ａ  です。
引力の式は、１０−３３Ｊ・ｍ×Ａ  です。
磁気の光子１個の１回転の運動量＝１０−４１Ｊ・ｍ×Ａ  です。
１秒間にできる電気の光子の運動量は、１秒間にできる電気の光子のエネルギー×１秒間の回転数×ラブの公転軌道×３．１４＝１秒間にできる電気の光子のエネルギー×１秒間に走る距離＝１秒間にできる電気の光子のエネルギー×ラブの秒速＝８×１０−１４Ｊ×Ａ２×４×１０４ｍ＝３．２×１０−９Ｊ・ｍ×Ａ２です。
１秒間にできる磁気の光子の運動量は、１秒間にできる磁気の光子のエネルギー×ラブの秒速＝８×１０−１４Ｊ×Ａ２×４×１０４ｍ＝３．２×１０−９Ｊ・ｍ×Ａ２です。
▲２▼原子の中の電子のラブの秒速を４×１０６ｍとする場合。
公転軌道は、１．２５×１０−１０ｍ÷Ａ  です。
自転軌道は、１．２５×１０−１８ｍ÷Ａ  です。
１秒間の公転数は、４×１０６ｍ÷（３．１４×１．２５×１０−１０ｍ÷Ａ）＝１０１６×Ａ  回転です。
１秒間の自転数は、４×１０６ｍ÷（３．１４×１．２５×１０−１８ｍ÷Ａ）＝１０２４×Ａ  回転です。
１公転でできる電気の光子１個のエネルギーは、８×１０−３０Ｊ×Ａ  です。
１自転でできる磁気の光子１個のエネルギーは、８×１０−３８Ｊ×Ａ  です。
１秒間にできる電気の光子のエネルギーは、１公転でできる電気の光子１個のエネルギー×１秒間の公転数＝８×１０−３０Ｊ×Ａ×１０１６×Ａ＝８×１０−１４Ｊ×Ａ２  です。
１秒間にできる磁気の光子のエネルギーは、１自転でできる磁気の光子１個のエネルギー×１秒間の自転数＝８×１０−３８Ｊ×Ａ×１０２４×Ａ＝８×１０−１４Ｊ×Ａ２  です。
ラブの１回転の運動量は、１０−２３Ｊ・ｍ×Ａ  です。
電気の光子の１回転の運動量は、１秒間にできる電気の光子のエネルギー×公転軌道＝８×１０−１４Ｊ×Ａ２×１．２５×１０−１０ｍ÷Ａ＝１０−２３Ｊ・ｍ×Ａ  です。
磁気の光子１０８個の１回転の運動量は、１秒間にできる磁気の光子のエネルギー×自転軌道＝８×１０−１４Ｊ×Ａ２×１．２５×１０−１８ｍ÷Ａ＝１０−３１Ｊ・ｍ×Ａ  です。
引力の式は、１０−３１Ｊ・ｍ×Ａ  です。
磁気の光子１個の１回転の運動量＝１０−３９Ｊ・ｍ×Ａ  です。
１秒間にできる電気の光子の運動量は、１秒間にできる電気の光子のエネルギー×１秒間の回転数×ラブの公転軌道×３．１４＝１秒間にできる電気の光子のエネルギー×１秒間に走る距離＝１秒間にできる電気の光子のエネルギー×ラブの秒速＝８×１０−１４Ｊ×Ａ２×４×１０６ｍ＝３．２×１０−７Ｊ・ｍ×Ａ２です。
１秒間にできる磁気の光子の運動量は、１秒間にできる磁気の光子のエネルギー×ラブの秒速＝８×１０−１４Ｊ×Ａ２×４×１０６ｍ＝３．２×１０−７Ｊ・ｍ×Ａ２です。
これらの式によって、宇宙の様子を数で示す。
今回は、原子の中の、電子のラブの秒速を４×１０６ｍの場合を記す。
2006067796.tif 000004
2006067796.tif 000005
2006067796.tif 000006
2006067796.tif 000007
2006067796.tif 000008
１３．  星において、電気の光子の１秒間の運動量は１秒間にできる電気の光子のエネルギー×秒速＝８×１０−１４Ｊ×Ａ２×秒速です。磁気の光子の１秒間の運動量は１秒間にできる磁気の光子のエネルギー×秒速＝８×１０−１４Ｊ×Ａ２×秒速です。この事は何を物語るか。
電気の光子の１秒間の運動量は、１秒間にできる電気の光子のエネルギー×１秒間の回転数×ラブの公転軌道×３．１４＝１秒間にできる電気の光子のエネルギー×１秒間に走る距離＝１秒間にできる電気の光子のエネルギー×秒速です。
秒速が４×１０４ｍの場合は、
８×１０−１４Ｊ×Ａ２×４×１０４ｍ＝３．２×１０−９Ｊ・ｍ×Ａ２です。
秒速が４×１０６ｍの場合は、
８×１０−１４Ｊ×Ａ２×４×１０６ｍ＝３．２×１０−７Ｊ・ｍ×Ａ２です。
磁気の光子の１秒間の運動量は、１秒間にできる磁気の光子のエネルギー×１秒間の回転数×ラブの自転軌道×３．１４＝１秒間にできる磁気の光子のエネルギー×１秒間に走る距離＝１秒間にできる磁気の光子のエネルギー×秒速です。
秒速が４×１０４ｍの場合は、
８×１０−１４Ｊ×Ａ２×４×１０４ｍ＝３．２×１０−９Ｊ・ｍ×Ａ２です。
秒速が４×１０６ｍの場合は、
８×１０−１４Ｊ×Ａ２×４×１０６ｍ＝３．２×１０−７Ｊ・ｍ×Ａ２です。
この事は、地球において、電子のラブが作る光子の１秒間の運動量は、電子のラブの質量エネルギー×電子のラブの秒速＝一定です。
しかし、電子のラブが作る光子の１秒間の運動量は、宇宙においては一定ではない事が解る。
１４．  本当の星のエネルギーは地球のエネルギーの何倍か。
地球の場合。
電子のラブが１秒間につくる電気の光子のエネルギーは８×１０−１４Ｊです。
電子のラブが１秒間につくる磁気の光子のエネルギーは８×１０−１４Ｊです。
電子のラブが１秒間につくる電気の光子の運動量は、８×１０−１４Ｊ×ラブの秒速  です。
電子のラブが１秒間につくる磁気の光子の運動量は、８×１０−１４Ｊ×ラブの秒速  です。
地球の場合、１秒間の電子のラブの公転の運動量は電気の光子の運動量となり、一定です。
１秒間の電子のラブの自転の運動量は磁気の光子の運動量となり、一定です。
星の場合。
星の場合、地球のＡ２倍です。
それで、星の質量を地球の質量のＢ倍とすると、星のエネルギーは地球のエネルギーのＡ２Ｂ倍です。
Ａ倍のエネルギーは、星の外側のエネルギーです。
太陽の場合、地球のエネルギーの１０６倍です。それで、太陽の中心では核融合反応がおこなられます。
１５．  背景輻射ができた過程について。
現在、地球において背景輻射は２ｍｍの波長となっている。この軌道は１ｍｍです。
これは、ビッグバンで、陽子のラブや電子のラブから放出した電気の光子と磁気の光子が急に軌道を拡大した光子です。
ビッグバンから現在まで、光子は２．７×１０２５ｍ走っているのでビッグバンのときの軌道は、
２×２．７×１０２５ｍ÷（３×１０８ｍ）＝１．８×１０１７倍になっている。
ビッグバンの時の光子の軌道は、
１０−３ｍ÷（１．８×１０１７）＝５．５６×１０−２１ｍです。
これは、ビッグバンで、陽子のラブや電子のラブから放出した電気の光子と磁気の光子が絶対０度の宇宙に出て、急に軌道を拡大した光子です。
急に軌道を５．５６×１０−２１ｍに拡大しました。
１４０億年代の電子のラブの公転軌道は、６．８×１０−２８ｍです。電子のラブの公転によってできた電気の光子は電子のラブから放出し、５．５６×１０−２１ｍの軌道に拡大しました。
１４０億年代の電子のラブの自転軌道は、６．８×１０−３６ｍです。電子のラブの自転によってできた磁気の光子は電子のラブから放出し、５．５６×１０−２１ｍの軌道に拡大しました。
ビッグバンで、電気の光子は、
５．５６×１０−２１ｍ÷（６．８×１０−２８ｍ）＝８×１０６倍に拡大しました。
磁気の光子は、６．８×１０−３６ｍの軌道から、５．５６×１０−２１ｍの軌道に拡大しました。
ビッグバンで、磁気の光子は、
５．５６×１０−２１ｍ÷（６．８×１０−３６ｍ）＝８×１０１４倍に拡大しました。
もしかしたら、ビッグバンのとき、電子のラブや陽子のラブは、公転はしておらず自転だけだったかもしれません。それで、現在、地球の背景輻射は磁気の光子だけかもしれません。
１６．  現在の宇宙の１回転の運動量は、１４０億年代の１回の運動量の何倍になっているか。
▲１▼現在の宇宙の１回の運動量を太陽のエネルギーとすると、
太陽のラブの１回転の運動量は１０−２０Ｊ・ｍで、１４０億年代のラブの１回の運動量は１．８３×１０−６Ｊ・ｍですから、
太陽の１回の運動量は１４０億年代の１回の運動量の、
１０−２０Ｊ・ｍ÷（１．８３×１０−６Ｊ・ｍ）＝５．４６×１０−１５倍です。
▲２▼現在の宇宙を銀河系の中心とすると、
銀河系の中心は地球から約５万光年離れているから、その場の１回転の運動量は、１０４年と１０５年の中間の、ラブの１回の運動量です。
１０４年のラブの１回の運動量は、６．３×１０−１２Ｊ・ｍです。
１０５年のラブの１回の運動量は、６．３×１０−１１Ｊ・ｍです。
５×１０４年のラブの１回の運動量は、
６．３×１０−１２Ｊ・ｍ＋６．３×１０−１１Ｊ・ｍ÷２＝３．４６５×１０−１１Ｊ・ｍです。
それで、銀河系の中心のラブの１回の運動量は１４０億年代のラブの１回の運動量の、
３．４６５×１０−１１Ｊ・ｍ÷（１．８３×１０−６Ｊ・ｍ）＝１．９×１０−５倍です。
【発明の効果】
【０００６】１．中性子を崩壊する引力と、中性子を作る引力は、電子のラブの公転軌道から理解できた。公転軌道の１０−８倍が自転軌道であり、この自転によってできる磁気の光子が引力に成るので、中性子を作るときは、軌道が４．７×１０−４倍になり、磁気の光子のエネルギーが２．１３×１０３倍になるので、陽子のラブを電子のラブの自転の中に引き込む引力となる。
又、電子のラブの自転軌道が大きくなり、引力は小さくなったので、陽子のラブは電子のラブの自転の中を抜け出る、ことを理解できた。
２．引力には２種類あることを明記した。本発明者が考えている引力は１原子が作る引力である。
３．本発明者が運動量とする、１秒間にできるエネルギー×軌道  は１回転の運動量であることを明記できた。
４．原子の中の、電子のラブと光子の秒速が大きくなると、電子のラブの公転軌道と自転軌道は大きくなり、軌道が大きくなるので、１回転の運動量が大きくなる事が理解できた。
５．Ｋ＝３×１０８ｍとする事によって、何秒走ったかによって、走っている光子のエネルギーがどれ位減少するのか理解できる。
６．Ａ＝２×走った距離÷（３×１０８ｍ）により、星のエネルギーは地球のエネルギーのＡ倍であるとみなす事ができる。
７．Ａの値により、宇宙の星がどのようになっているのか、表に記した事を理解できた。
８．本当の星のエネルギーは、星の質量が地球の質量のＢ倍であるとすると、Ａ２Ｂ倍であることが理解できた。
９．背景放射は、ビッグバンで光子の軌道は急に５．５６×１０−２１ｍになり、その後走り続け、３×１０８ｍ走り軌道を１０倍にし、軌道（波長）は１．８×１０１７倍になって、現在１０−３ｍになっている事を理解できた。
１０．現在の宇宙の１回転の運動量は、１４０億年代の１回転の運動量の何倍になっているのか理解できた。
【図面の簡単な説明】
【０００７】
【図１】中性子が崩壊後、陽子と電子になり、水素に成ると仮定すると、電子のラブの軌道は、中性子の電子のラブの公転軌道から、水素の電子のラブの公転軌道になる。この時、公転軌道は、３．７×１０−１０ｍ÷（０．９２９×１０−１４ｍ）＝４×１０４倍になります。自転軌道も４×１０４倍になります。磁気の光子のエネルギーは４×１０４分の１になります。それで、引力は４×１０４分の１になりますから、中性子の陽子のラブは電子の自転から抜け出る。原子の電子のラブから中性子の電子のラブになるとき、公転軌道は、６．１９４×１０−１４ｍ×Ａ÷（１．３２２×１０−１０ｍ×Ａ）＝４．６８５×１０−４倍になります。自転軌道も４．６８５×１０−４倍になります。それで、エネルギーは４．６８５×１０−４分の１になります。エネルギーは、１÷（４．６８５×１０−４）＝２．１３×１０３倍になります。磁気の光子のエネルギーは２．１３×１０３倍になります。引力は２．１３×１０３倍になりますから、電子の自転の中に陽子のラブは引き込まれます。
【図２】宇宙の星から出発する光子のエネルギーをａとし、地球にたどり着く光子のエネルギーをｂとすると、ａ＝ｂ×２×光子が走った距離÷Ｋ  です。Ｋ＝光速＝３×１０８ｍとする。ａ＝ｂ×２×光子が走った距離÷（３×１０８ｍ）そうしますと、星のエネルギーは、地球のエネルギーの２×光子が走った距離÷（３×１０８ｍ）倍とみなす事ができる。この倍数をＡとする。
【図３】宇宙の距離とその場の星の電子のラブと電気の光子の様子を示す。
【符号の説明】
【０００８】１  電子のラブ
２  陽子のラブ
３  中性子の電子のラブの公転軌道
４  中性子の電子のラブの自転軌道
５  水素の電子のラブの公転軌道
６  水素の電子のラブの自転軌道
７  原子の電子のラブの公転軌道
８  星
９  地球
１０  宇宙の軌道
【図１】
2006067796.tif 000010
【図２】
2006067796.tif 000011
【図３】
2006067796.tif 000012